(57)【特許請求の範囲】
【請求項１】
複数の被検体に関する複数の医用画像のデータを記憶する画像記憶部と、
前記記憶された複数の医用画像から、読影対象の被検体氏名をローマ字表記により表すアルファベット綴りにより医用画像を選び出す画像選出部と、
前記選び出された医用画像を表示する画像表示部とを具備し、
前記記憶された複数の医用画像のうち被検体氏名のかな表記に特定文字が含まれている医用画像には同一のかな表記を表す異なるローマ字表記による複数のアルファベット綴りが関連付けられ、前記記憶された複数の医用画像のうち被検体氏名のかな表記に前記特定文字が含まれていない医用画像には一のローマ字表記による一のアルファベット綴りが関連付けられていることを特徴とする医用画像ビューワシステム。
【請求項２】
前記複数の医用画像には、それぞれ対応する被検体ＩＤが関連付けられ、
前記画像選出部は、前記読影対象の被検体氏名を表すアルファベット綴りと同一のアルファベット綴りが関連付けられている医用画像を前記被検体ＩＤにより分類することを特徴とする請求項１記載の医用画像ビューワシステム。
【請求項３】
前記画像表示部には、前記分類された医用画像に関連付けられているアルファベット綴りが、前記被検体ＩＤごとに一覧で表示されることを特徴とする請求項２記載の医用画像ビューワシステム。
【請求項４】
前記被検体氏名のかな表記に特定文字が含まれている医用画像に関連付けられている前記複数のアルファベット綴りの一は、前記特定文字に対して統一されたローマ字表記で表されることを特徴とする請求項３記載の医用画像ビューワシステム。
【請求項５】
前記画像表示部には、前記分類された医用画像に対応する被検体氏名を前記特定文字に対して統一されたローマ字表記で表されるアルファベット綴りが表示されることを特徴とする請求項４記載の医用画像ビューワシステム。
【請求項６】
前記画像表示部には、前記被検体氏名のかな表記に特定文字が含まれている医用画像に関連付けられている前記複数のアルファベット綴りのうち、前記特定文字に対して統一されていないローマ字表記を含むアルファベット綴りが表示されることを特徴とする請求項４記載の医用画像ビューワシステム。
【発明の詳細な説明】
【技術分野】
【０００１】
本発明は、被検体名管理機能を有する医療情報管理システムに係わり、特にローマ字表記の被検体名管理機能を備えたモダリティ又は情報機器が接続されている、医療情報管理システムに関する。
【背景技術】
【０００２】
一般に、病院内の業務の効率化を図る１つの手法として、例えば、オフィスオートメーション（ＯＡ）化がある。代表的なものとしては、病院業務に導入されている病院情報システム（ＨＩＳ）や、放射線部門情報管理システム（ＲＩＳ）等が知られている。これらは、コンピュータシステムの他、サーバやビューワとして用いられるワークステーションなどの各種情報機器により構成されている。
【０００３】
ＨＩＳは、病院内の業務を効率的に行うためのコンピュータシステム全体を指し、医事会計システム、検査オーダシステム、薬剤システム、電子カルテ入力システム等が含まれている。ＲＩＳは、放射線部門の業務を効率的に進めるためのコンピュータシステムを指し、一般に、ＨＩＳと接続され、ＨＩＳからの検査オーダの参照やそれに基づいたスケジューリング、検査実施情報の記録などを行う。ＲＩＳが管理する放射線部門では、モダリティと称される一群の画像診断装置が、ネットワークを介してＲＩＳに接続されている。
【０００４】
モダリティの例として、ＣＴ（コンピュータ断層撮影法）、ＭＲＩ（磁気共鳴イメージング）、ＣＲシステム（コンピューテッドラジオグラフィシステム）、ＲＩ検査（核医学的検査）などが挙げられる。各モダリティは、ＲＩＳから撮影条件情報を受信し、ＲＩＳへと撮影実績情報を送っている。また、各モダリティには、モダリティに撮影必要情報を直接入力するためのワークステーション（ＲＩＳ端末）が、接続されている。
【０００５】
さらに、各モダリティで得られる画像をデジタルで保管、通信、表示及び読影できるシステムとしてＰＡＣＳ（医用画像保管通信システム）があり、通常ＨＩＳ、ＲＩＳと組み合わせて使用されている。ＰＡＣＳは、モダリティにネットワークを介して接続され、各モダリティから得られた画像を記録するファイルシステムと、このファイルシステムから読み出された読影用画像を保持する読影医用画像サーバと、読影医師が読影を行うビューワとして用いられるワークステーションとを備えている。
【０００６】
例えば、特許文献１は、ＨＩＳ端末と、このＨＩＳ端末に接続されデータベースを有するＲＩＳデータベース端末と、このＲＩＳのデータベース端末に接続されたＸ線撮影を管理する撮影管理端末と、この撮影管理端末に接続されたＸ線撮影装置とからなるＸ線撮影管理システムを開示している。Ｘ線撮影必要情報は、大部分を放射線部門の撮影管理端末から行う必要があり、従来から簡便な入力が要望されていた。特許文献１に記載の発明では、Ｘ線撮影管理端末の互いに接続された各構成要素は、相互に通信可能である。この相互通信は、操作卓の設けられたＸ線撮影装置にも当てはまり、撮影管理端末と、Ｘ線撮影装置のこの操作卓相互間も双方向の情報伝達を行うことができる。この情報伝達が可能になると、Ｘ線撮影必要情報の入力を撮影管理端末又は操作卓のいずれか一方入力すれば、他方に通信伝達されることになる。よって、Ｘ線撮影必要情報の入力の省力化を図ることができる。さらに、Ｘ線撮影の都度、Ｘ線撮影必要情報の全てを新規に入力するのではなく、予め登録してある複数のＸ線撮影必要情報の中から選択して読み出し、入力することでさらに省力化を図ることができる。
【０００７】
本来、放射線部門における患者氏名（かな表記、ローマ字表記）、患者ＩＤなどの情報は、ＲＩＳで入力され、ネットワークを介してＲＩＳの管理する各モダリティやＰＡＣＳ内のサーバ・ビューワに格納して、放射線部門全体で共有されることが望ましい。ローマ字表記の患者氏名は、様々な綴りが想定される場合があるが、読影医師が患者名をソーティング等する際にローマ字表記を好むため、ローマ字表記が統一されていることが好ましいからである。
【特許文献１】特開平１０−２７７０２１
【発明の開示】
【発明が解決しようとする課題】
【０００８】
前述した患者氏名等の被検体名のローマ字表記には、同じ仮名を示す複数の表記が存在している。つまり、ローマ字表記には、異なるアルファベット綴りにより同じ仮名を表す、いわゆるヘボン式、訓令式及び日本式が存在している。
【０００９】
前述したＲＩＳにおける情報通信において、送信する情報の中に患者氏名のローマ字表記が含まれていない場合がある。この時には、医師等が、ローマ字表記を各モダリティに入力しなければならない。また、モダリティの中にはＲＩＳに接続されていないものもあるため、このような構成であれば、全ての情報を医師等が、入力しなければならない。この場合、それぞれの医師等が最初に入力されたアルファベット綴りと同じローマ字表記を行っているかは確認していないため、異なった綴りで入力されている可能性がある。
【００１０】
また、モダリティの中には、送信されてこない患者氏名のローマ字表記をかな表記の患者氏名から自動的に生成する機種もあるが、その機種別やメーカ別によりローマ字表記への変換規則が統一されていない。さらに、各モダリティやＰＡＣＳの運用に際して読影医師が、送信され又は入力されたローマ字表記を変更することもある。
【００１１】
従って、読影医師が、読影するビューワ上で同一の患者氏名に対して、複数の異なるアルファベット綴りのローマ字表記が混在し、このようなローマ字表記に従って患者氏名をソーティングした時には、患者ＩＤ等の被検体ＩＤが同一である、同一の患者の氏名が、分離されてソーティングされてしまうという問題が生じている。
【課題を解決するための手段】
【００１２】
上述の問題は、同一の被検体を表す被検体名の２つのローマ字綴りを対として、前記被検体の認識情報と共に記憶し、これら前記各ローマ字綴りの前記被検体名、又は、前記被検体の認識情報とのいずれか一方又は両方を入力することにより前記被検体に関わる情報を出力することを特徴とする医療情報管理システムにより解決される。
【発明の効果】
【００１３】
本発明により、各モダリティと、ワークステーション、画像サーバ及びビューワの各情報機器とで、同一の患者に患者氏名の同一のローマ字綴りを与えることができ、この患者氏名のローマ字綴りでソーティングを行うことができる。
【００１４】
また、この機能は、ＲＩＳと本発明に係る医療情報管理システムとの通信で欠落する情報を補完することができる。
【発明を実施するための最良の形態】
【００１５】
図１は、本発明の一実施の形態に係る医療情報管理システム１００の概略的な構成例を示している。この医療情報管理システム１００は、ＨＩＳ１１０と、ＲＩＳ１２０とがネットワークを介して接続されている。
【００１６】
この図１において、モダリティ１３０ａ、１３０ｂ、１３０ｃは、ネットワークを介してＲＩＳと接続されているが、モダリティ１３０ｄは、ＲＩＳとは接続されていないスタンドアロンのモダリティである。
【００１７】
これら各モダリティは、直接、撮影必要情報などをモダリティに入力するための後述する入力部となる操作卓（図示せず）を備えている。もちろん、入力部は、操作卓に限定されず、表示画面にタッチパネル入力機能を持たせてもよい。また、各モダリティ１３０ａ、１３０ｂ、１３０ｃ、１３０ｄには、これらモダリティに撮影必要情報などを送信することができるワークステーション１３５ａ、１３５ｂ、１３５ｃ、１３５ｄの各情報機器が、それぞれ接続されている。
【００１８】
画像サーバ１５０、ファイルシステム１６０、ビューワ１７０ａ及びビューワ１７０ｂの各情報機器は、ＰＡＣＳ１４０を構成し、モダリティ１３０ａ、１３０ｂ、１３０ｃ、１３０ｄとネットワークを介して接続されている。
【００１９】
このファイルシステム１６０は、各モダリティにより得られた画像を記憶する。また、この画像サーバ１５０は、ファイルシステム１６０から読み出された読影用画像を保持する読影医用画像サーバである。読影医は、画像サーバ１５０に保持された画像をビューワ１７０ａ、１７０ｂを用いて読影する。
【００２０】
これら画像サーバ１５０と、ビューワ１７０ａと、ビューワ１７０ｂとは、直接、設定の変更などを行うことができるように端末を備えている。当業者は、本発明の請求の範囲で任意にネットワークに接続されたモダリティ又は各種類の情報機器を追加し、削除することができる。また、図１に示されていない他の種類の情報機器をネットワークに接続することができる。
【００２１】
図２は、図１の本発明の一実施の形態に係る医療情報管理システム１００の一部を抜き出して、構成要素の内部の概略が見えるように示している。この図２には、医療情報管理システム１００に接続されたＲＩＳ１２０と、この医療情報管理システム１００のうち図１に示されていたモダリティ１３０ａ、１３０ｄと、これらモダリティに接続されているワークステーション１３５ａ、１３５ｄとが示されている。上述のように、このモダリティ１３０ａは、ＲＩＳに接続されている。一方、モダリティ１３０ｄは、スタンドアロンであり、ＲＩＳとは接続されていない。
【００２２】
図３は、モダリティ１３０ａの構成例を示している。
【００２３】
モダリティ１３０ａは、少なくとも各種の検査を行う検査部と、撮影必要情報や指示等を入力し、ネットワークからの入出力を行う入力部と、検査結果など各種情報を表示する表示部（モニタ）と、検査を実行するためのプログラムや患者情報等を記憶する記憶部と、装置全体を制御する制御部とを備えている。記憶部は、基本記憶エリア、第１の記憶エリア及び第２の記憶エリアの３つの記憶エリアを１組として、１つ以上のこれら記憶エリアの組を有している。他のモダリティ又は情報機器の記憶部も同様に基本記憶エリア、第１の記憶エリア及び第２の記憶エリアの３つの記憶エリアを１組として、１つ以上のこれら記憶エリアの組を有している。
【００２４】
図２では、ＲＩＳ１２０に患者情報が入力されており、これら患者情報のうち例として患者ＩＤ、かな（カタカナ又はひらがな）表記の患者氏名、ローマ字表記の患者氏名を示している。また、図示されているモダリティ１３０ａ、１３０ｄと、ワークステーション１３５ａ、１３５ｄの実線と破線で区切られた領域はこれらのモダリティ又は情報機器の記憶部の記憶エリアを模式的に示している。患者情報を記憶する記録媒体としては、着脱自在な外部取り付けメモリ又は光ディスク等のディスクを用いることができる。また、装置内に配置された半導体メモリ又はハードディスクの記憶領域の一部を利用してもよい。
【００２５】
図２において、モダリティ１３０ａの記憶部内にある縦に並んだ３つの記憶エリア（テーブル）領域のうち、実線で区切られた最上段の記憶エリアには、患者情報のうちローマ字表記の患者氏名以外を記憶する基本記憶エリア１３３ａである。図２に示された例では、患者ＩＤと、かな表記の患者氏名を保持している。一方破線で区切られた下側の２つの記憶エリアは、上から順にそれぞれローマ字表記の患者氏名を記憶するための第１の記憶エリア１３２ａと、第２の記憶エリア１３３ａとを模式的に示している。
【００２６】
モダリティ１３０ｄと、ワークステーション１３５ａ、１３５ｄの記憶部においても同様な基本記憶エリアと、第１及び第２の記憶エリアとが設定されている。
【００２７】
図４は、モダリティ１３０ａの記憶エリアの全体を概略的に示したものである。この図４に示されているように、各モダリティと、各ワークステーションとの、これら基本記憶エリアと、第１及び第２の記憶エリアとから構成されている記憶エリアは、１以上の患者情報を保持することができる。
【００２８】
また、図４の例では、「タカヤマ  タクゾウ」以外の患者は、後述する手続きによって第１及び第２の記憶エリアにローマ字表記の患者氏名が保持されている。
【００２９】
図２には、各モダリティと、各ワークステーションとに対して示されている３つの記憶エリア（患者ＩＤ、かな表記及びローマ字表記）を１組とする各記憶エリアを示し、１組以上記憶されている患者情報のうちの１組の情報だけを抜き出して模式的に示している。
【００３０】
ＲＩＳ１２０からネットワークを介してモダリティ１３０ａに患者情報を送信する。図２に示されている例では、患者ＩＤと、かな表記の患者氏名とが、モダリティ１３０ａに送信されたが、ローマ字表記の患者氏名は、送信されていない。また、もちろんスタンドアロンのモダリティ１３０ｄには、いずれの患者情報も送信されていない。
【００３１】
図２に示した例では、送信後であって、モダリティ１３０ａの基本記憶エリア１３１ａには、患者ＩＤ及びかな表記の患者氏名は、保持されているが、ローマ字表記の患者氏名のための第１及び第２の記憶エリア１３２ａ、１３３ａ、１３７ａ及び１３８ａには、何も保持されていない。
【００３２】
ワークステーション１３５ａの基本記憶エリア１３６ａは、モダリティ１３０ａの記憶エリアからネットワークを介して受信した患者ＩＤと、かな表記の患者氏名を保持している。また、モダリティ１３０ｄと、ワークステーション１３５ｄとの記憶エリアには、いずれの情報も保管されていない。このシステムの使用者は、モダリティ１３０ａの入力部と、ワークステーション１３５ａの端末装置とから、このモダリティ１３０ａと、ワークステーション１３５ａの第１の記憶エリアに直接ローマ字表記の患者氏名を入力することができる。この場合、入力されたローマ字表記の患者氏名は、このモダリティ１３０ａと、ワークステーション１３５ａの第１の記憶エリア１３２ａ、１３７ａに保持される。
【００３３】
また、このシステムの使用者は、モダリティ１３０ａ又はワークステーション１３５ａのいずれか一方だけに、直接上記のようにローマ字表記の患者氏名を入力して、残りの他方に第１の記憶エリアに保持しているローマ字表記を送信することができる。この場合、受信したローマ字表記の患者氏名は、それぞれワークステーション１３５ａ又はモダリティ１３０ａは、第１の記憶エリアに保持する。
【００３４】
このように、本発明の一実施の形態において、医師等により直接入力され、又は、受信されたローマ字表記の患者氏名は、モダリティ又は各情報機器の第１の記憶エリアに保持される。モダリティ１３０ｄと、ワークステーション１３５ｄとにも同じような操作をして第１及び第２の記憶エリアにローマ字表記の患者氏名を保持させることができる。この場合、さらに、患者ＩＤと、かな表記の患者氏名を入力して基本記憶エリアに保持させなければならない。
【００３５】
このシステムの使用者は、モダリティ又は情報機器の第２の記憶エリアに、第１の記憶エリアに保持されているローマ字表記の患者氏名を、変更しないで転送し、第２の記憶エリアに保持させることができる。この転送は、第１及び第２の記憶領域に対応している上述のメモリ等のそれぞれの記憶領域の間で転送することにより実現される。
【００３６】
さらに、モダリティ又は情報機器は、第２の記憶エリアが保持している患者氏名のローマ字綴りを同一の患者氏名の別のローマ字綴りに変更する変更機能を備えている。結果として、モダリティ又は情報機器の第２の記憶エリアは、第１の記憶エリアに保持されているローマ字綴りと同一のローマ字綴り、又は、患者氏名の変更されたローマ字綴りを保持している。変更機能は、第２の記憶エリアに、このシステムの使用者が、アクセスすることにより変更する。例えば、モダリティ又は情報機器の表示部に第２の記憶エリアが保持しているローマ字表記の患者氏名を表示させて、入力部から第２の記憶エリアにアクセスすることによりこの第２の記憶エリアが保持している患者氏名のローマ字綴りを変更し、変更された結果を表示部に再び表示させて確かに変更されたことを確認する。
【００３７】
表１は、複数の表記が可能なローマ字表記の例を示している。
【表１】
0004745075.tif 000002
【００３８】
上記のローマ字表記の患者氏名の変更は、変更される患者氏名ごとに変更可能かどうか判断される。例えば、ＴＡＫＵＺＯ（たくぞう）の表記には、ＴＡＫＵＺＯと、ＴＡＫＵＺＯＵと、ＴＡＫＵＺＯＯと、ＴＡＫＵＺＯＨとの４通りの表記が可能であるが、ＴＯＭＯＫＯ（ともこ）は、同じように語尾が「Ｏ」で終わっていてもこれ以外のローマ字表記は不可能である。
【００３９】
図５は、ＲＩＳから受信できなかった情報を記憶エリアに補完した図２と同様の医療情報管理システムを概略的に示している。図５において、モダリティ１３０ａの記憶部における第１及び第２の記憶エリアには、ＲＩＳのローマ字表記の患者氏名と同一のＴＡＫＡＹＡＭＡ  ＴＡＫＵＺＯが、登録されている。このモダリティ１３０ａの第２の記憶エリアにおける患者氏名のローマ字綴りは変更されていないことが示されている。ワークステーション１３５ａの第１の記憶エリア１３７ａには、モダリティ１３０ａの第１の記憶エリア１３２ａと同一のローマ字表記の患者氏名ＴＡＫＡＹＡＭＡ  ＴＡＫＵＺＯが登録されている。
【００４０】
ところが、このワークステーション１３５ａの記憶部における第２の記憶エリア１３８ａには同一の患者氏名を表す、異なるローマ字綴りＴＡＫＡＹＡＭＡ  ＴＡＫＵＺＯＵが登録されている。つまり、このワークステーション１３５ａの第２の記憶エリア１３８ａに登録された際に患者氏名のローマ字綴りが、変更されていることを示している。
【００４１】
ＲＩＳと接続されていないスタンドアロンのモダリティ１３０ｄにおいても、第２の記憶エリアの患者氏名のローマ字綴りが、このシステムの使用者によって、変更されている。各モダリティと、各ワークステーションとが、基本記憶エリア、第１及び第２の記憶エリアから構成されている記憶エリアを備えていることを前述している。これは、ＰＡＣＳ１４０を形成している、画像サーバ１５０、ビューワ１７０ａ、１７０ｂにも該当する。これらの画像サーバ１５０、ビューワ１７０ａ、１７０ｂも、基本記憶エリア、第１及び第２の記憶エリアから構成されている記憶エリアを備えている。
【００４２】
ＰＡＣＳ１４０の画像サーバ１５０と、ビューワ１７０ａ、１７０ｂとには、各モダリティから受信した、１以上の患者の１種類以上の読影用画像に対応する患者情報が保持されている。
【００４３】
上記のように各々のモダリティでは、元となるローマ字表記の患者氏名を第１及び第２の記憶エリアに保持し、さらに、第２の記憶エリアでは、可能な場合そのローマ字表記の患者氏名を同一の患者を表す、異なったローマ字綴りに任意に変更できる。
【００４４】
従って、サーバ１５０と、ビューワ１７０ａ、１７０ｂとの第１及び第２の記憶エリアには、一般に、同一の患者を表す、異なる１つ以上のローマ字表記の患者氏名が保持されている。
【００４５】
当業者は、本実施の形態の医療情報管理システムは、前述したモダリティ又はワークステーション、画像サーバ及びビューワの各情報機器に限定されるものではなく、これら以外の情報機器であっても、前述した基本記憶エリア、第１及び第２の記憶エリアとから構成されている記憶エリアを備えていれば、本システムに接続することができる。
【００４６】
本実施の形態において、このシステムの使用者は、各モダリティ、ワークステーション、画像サーバ及びビューワの各々において第２の記憶エリアに保持されている患者氏名のローマ字綴りを統一することができる。
【００４７】
図６Ａと図６Ｂとは、ビューワ１７０ａ又は１７０ｂの画面に表示されているローマ字表記の患者氏名を概略的に示している。
【００４８】
図６Ａと図６Ｂとにおいて、表示されているのは患者ＩＤと、第２の記憶エリアに保持されているローマ字表記の患者氏名と、画像を撮影したモダリティの名称である。また、このビューワの画面上では、患者ＩＤでソーティングし、同一の患者についてだけ表示している。
【００４９】
図６Ａでは、同一の患者に対して異なる患者氏名のローマ字綴りが、混在している。図６Ｂでは、複数のローマ字表記のうちの１つの綴りに統一されている。これは、このビューワの第２の記憶エリアが保持しているローマ字表記の患者氏名が統一されたことを示している。
【００５０】
モダリティ、ワークステーション及び画像サーバなど本発明に係る医療情報管理システムに接続されている記憶エリアを備えた全ての情報機器において、上述のように、各々の第２の記憶エリアが保持している患者氏名のローマ字綴りを統一することができる。本発明の一実施の形態において、第２の記憶エリアの患者氏名のローマ字綴りの統一は、このシステムの使用者によって、患者ＩＤを用いて挙げられた同一患者に対して第２の記憶エリアが保持している患者氏名のローマ字綴りの１つ１つを上述の変更機能を用いて変更することによって行うことができる。図６Ｂの例において、使用者が、各ローマ字表記の患者氏名を１つ１つ変更したものと考えることができる。
【００５１】
本発明の他の実施の形態において、第２の記憶エリアのローマ字表記の患者氏名の統一は、同一の患者ＩＤに対して、混在しているアルファベット綴りの中から各モダリティと、ワークステーション、画像サーバ及びビューワの各情報機器とが、これらの記憶部に保持されているプログラムによって、第２の記憶エリアに保持されているローマ字表記の綴りから任意に選択して統一することにより行う。図６Ｂの例においては、全てのモダリティの患者氏名のローマ字綴りが、モダリティ１に対応する患者氏名のローマ字綴りに変更されていると考えることができる。
【００５２】
本発明の改良された実施の形態においては、ＰＡＣＳ内の画像サーバ１５０で第２の記憶エリアに保持されているローマ字表記の患者氏名の綴りが統一されると、ネットワークを介して、同じＰＡＣＳ内に接続されている全てのビューワ１７０ａ、１７０ｂの同一患者の第２の記憶エリアに保持されているローマ字表記の患者氏名も同一のローマ字表記の患者氏名に統一されるように設定されている。
【００５３】
本発明の一実施の形態において、各モダリティと、ワークステーション、画像サーバ及びビューワの各情報機器の第２の記憶エリアは、これら第２の記憶エリアが保持する患者氏名のローマ字綴りに複数の可能性がある場合に、本発明に係る医療情報管理システムの使用者によって、モダリティ又は情報機器ごとに、どの表記に統一されるか選択される機能を有する。
【００５４】
一実施の形態において、システムの使用者は、同一の患者に複数のローマ字表記の綴りの可能性がある時に、そのいずれの表記に統一するか決定し、各々の記憶エリアの第２の記憶エリアのローマ字表記の患者氏名を統一することができる。
【００５５】
他の実施の形態において、各モダリティと、ワークステーション、画像サーバ及びビューワの情報機器とは、記憶部に保持されているプログラムにより、各々、同一患者に対する全ての第２の記憶エリアを検索し、その中に異なるローマ字表記の綴りがあった場合には、その全ての表記をこのシステムの使用者に対して表示し、どのローマ字表記の患者氏名に統一するか選択を促すように設定されている。
【００５６】
しかし、この実施の形態においては、検索した結果の中に患者氏名のローマ字綴りの全ての表記方法が偶然挙がっていなかった場合には、使用者の選択肢の数は、少なくなる。
【００５７】
本発明の一実施の形態において、各モダリティと、ワークステーション、画像サーバ、ビューワの各情報機器とは、各々の第２の記憶エリアが保持している患者氏名のローマ字表記でソーティングを行う機能を有する。
【００５８】
図７Ａは、第２の記憶エリアに保持されているローマ字表記の患者氏名のソーティングの第１の方法を示している。この方法では、まず、第１の記憶エリアに医師等が直接入力することにより又はネットワークを介して送信することによりモダリティ又は情報機器の第１の記憶エリアにローマ字表記の患者氏名を保持させる。続いて、第２の記憶エリアにこの第１の記憶エリアに保持されているローマ字表記の患者氏名をそのまま転送する。この後、患者ＩＤを用いて同一患者の第２の記憶エリアに保持されているローマ字表記の患者氏名の綴りの確認を行う。この工程で挙げられた患者氏名のアルファベットの綴りが、同一でなければ、病院の運用にあわせて第２の記憶エリアに保持されているローマ字表記の患者氏名の綴りを統一する。この患者氏名のアルファベット綴りの統一の工程を全ての患者に対して行う。そして、最後に第２の記憶エリアに保持されている患者ごとに統一されたローマ字表記の患者氏名でソーティングを行う。
【００５９】
図７Ｂは、第２の記憶エリアに保持されているローマ字表記の患者氏名のソーティングの第２の方法を示している。この方法では、まず、第１の記憶エリアに医師等が直接入力することにより又はネットワークを介して送信することによりモダリティ又は情報機器の第１の記憶エリアにローマ字表記の患者氏名を保持させる。続いて、第２の記憶エリアにこの第１の記憶エリアに保持されているローマ字表記の患者氏名をそのまま転送する。この後、上述の第２の記憶エリアが保持するローマ字表記の患者氏名を統一する方法に従って、第２の記憶エリアが保持するローマ字表記の患者氏名を病院の運用に合わせて統一する。それから、第２の記憶エリアが保持しているローマ字表記の患者氏名でソーティングする。最後に、患者ＩＤを用いてソーティングで挙げられた患者の中に同姓同名の者がいないことを確認する。同一のローマ字表記の患者氏名を持つ者が、全て同一の患者ＩＤを有していればソーティングを終了する。もし、同一のローマ字表記の患者氏名を持つ者の中に複数の患者ＩＤが含まれている時は、患者ＩＤを利用して同一患者ごとの組に分けてソーティングを終了する。
【図面の簡単な説明】
【００６０】
【図１】本発明の一実施の形態に係る医療情報管理システムの概略的な構成例を示している。
【図２】モダリティの概略的な構成例を示している。
【図３】図１の本発明の一実施の形態に係る医療情報管理システムの１つのエリアを抜き出して、構成要素の内部の概略が見えるように示している。
【図４】モダリティの記憶エリアの全体を概略的に示している。
【図５】ＲＩＳから受信できなかった情報を記憶エリアに補完した図２と同一の医療情報管理システムを概略的に示している。
【図６Ａ】ビューワの画面に表示されているローマ字表記の患者氏名を概略的に示している。
【図６Ｂ】ビューワの画面に表示されているローマ字表記の患者氏名を概略的に示している。
【図７Ａ】第２の記憶エリアに保持されているローマ字表記の患者氏名のソーティングの第１の方法を示している
【図７Ｂ】第２の記憶エリアに保持されているローマ字表記の患者氏名のソーティングの第１の方法を示している
【符号の説明】
【００６１】
１００…医療情報管理システム、１２０…ＲＩＳ、１３０ａ…モダリティ、１３０ｄ…モダリティ、１３５ａ…ワークステーション、１３５ｄ…ワークステーション、１４０…ＰＡＣＳ、１５０…画像サーバ、１７０ａ…ビューワ、１７０ｂ…ビューワ、１３２ａ…第１の記憶エリア、１３３ａ…第２の記憶エリア。
【図１】
0004745075.tif 000003
【図２】
0004745075.tif 000004
【図３】
0004745075.tif 000005
【図４】
0004745075.tif 000006
【図５】
0004745075.tif 000007
【図６Ａ】
0004745075.tif 000008
【図６Ｂ】
0004745075.tif 000009
【図７Ａ】
0004745075.tif 000010
【図７Ｂ】
0004745075.tif 000011